(57)【要約】      （修正有）【課題】対象者の摂取した食料の糖質のエネルギーを容易に算出する消費エネルギー推定装置を提供する。【解決手段】消費エネルギー推定装置１０は体動センサ１７と第１の演算部１８と取得部と第２の演算部１９とを有する。体動センサ１７は対象者の身体の体動を検出する。第１の演算部１８は体動センサ１７が検出した体動に基づいて対象者の総消費エネルギーを算出する。取得部は対象者の脂質に由来する消費エネルギーを取得する。第２の演算部１９は脂質に由来する消費エネルギーおよび総消費エネルギーに基づいて対象者の糖質に由来する消費エネルギーを算出する。【選択図】図２
2014033868.tif 000002
【特許請求の範囲】
【請求項１】
対象者の総消費エネルギーを取得する総消費エネルギー取得手段と、
前記対象者の脂質に由来する消費エネルギーを取得する脂質消費エネルギー取得手段と、
前記総消費エネルギー取得手段が取得した前記総消費エネルギーと前記脂質消費エネルギー取得手段が取得した前記脂質に由来する消費エネルギーとに基づいて、前記対象者の糖質に由来する消費エネルギーを算出する糖質エネルギー演算手段とを備える
ことを特徴とする消費エネルギー推定装置。
【請求項２】
請求項１に記載の消費エネルギー推定装置において、
食料の総エネルギーと糖質に由来する消費エネルギーの関係を記憶する第１の記憶手段と、
前記糖質エネルギー演算手段が算出する前記糖質に由来する消費エネルギー、および前記第１の記憶部に記憶する前記関係に基づいて、前記対象者が摂取した食料の総エネルギーを推定する総エネルギー演算手段とを、さらに備える
ことを特徴とする消費エネルギー推定装置。
【請求項３】
前記糖質エネルギー演算手段は、初期基準時から測定基準時までの前記総消費エネルギーに基づいて、前記初期基準時近辺において前記対象者が摂取した糖質に由来する消費エネルギーを算出することを特徴とする消費エネルギー推定装置。
【請求項４】
請求項３に記載の消費エネルギー推定装置において、
時刻を計るタイマと、
前記第２の演算部により算出される総消費エネルギーを前記タイマに計時された時刻と関連付けて記憶する第２の記憶手段と、
前記初期基準時および前記測定基準時の入力を検出する入力手段とを、さらに備え、
前記総消費エネルギー取得手段は、前記入力部が検出する前記初期基準時における前記総消費エネルギーを前記第２の記憶手段から読出し、前記測定基準時の前記総消費エネルギーを取得し、前記初期基準時における前記総消費エネルギーから前記測定基準時の前記総消費エネルギーを減じることにより前記基準時期から前記測定基準時までの前記総消費エネルギーを算出する
ことを特徴とする消費エネルギー推定装置。
【請求項５】
請求項３に記載の消費エネルギー推定装置において、
前記第総消費エネルギー取得手段が取得する前記総消費エネルギーをリセットする入力を検出する入力部を備え、
前記糖質エネルギー演算手段は、前記リセットする入力の検出以後に求められる前記総消費エネルギーを、前記初期基準時から前記測定基準時までの前記総消費エネルギーとして用いる
ことを特徴とする消費エネルギー推定装置。
【請求項６】
請求項１から請求項５のいずれか１項に記載の消費エネルギー推定装置において、前記脂質消費エネルギー取得手段は、前記対象者から発するアセトンの量を検出するアセトン検出手段と、前記アセトン測定器が測定したアセトンの量に基づいて前記対象者の脂質に由来する消費エネルギーを算出する脂質消費エネルギー演算手段とを有することを特徴とする消費エネルギー推定装置。
【請求項７】
請求項１から請求項５のいずれか１項に記載の消費エネルギー推定装置において、
前記脂質エネルギー取得手段は、前記対象者から発するアセトンの量の検出および検出したアセトンの量に基づく前記対象者の脂質に由来する消費エネルギーの算出を実行するアセトン検出装置から前記対象者の脂質に由来する消費エネルギーを取得する
ことを特徴とする消費エネルギー推定装置。
【請求項８】
請求項４に記載の消費エネルギー推定装置において、
前記脂質エネルギー取得手段は、前記対象者から発するアセトンの量を検出するアセトン検出装置から前記対象者のアセトンの量を取得し、取得したアセトンの量に基づいて前記対象者の脂質に由来する消費エネルギーを算出する
ことを特徴とする消費エネルギー推定装置。
【請求項９】
請求項１から請求項８のいずれか１項に記載の消費エネルギー推定装置において、前記総消費エネルギー取得手段は、前記対象者の身体の体動を検出する体動センサと、および前記体動センサが検出した体動に基づいて前記対象者の総消費エネルギーを算出する総消費エネルギー演算手段とを有することを特徴とする消費エネルギー推定装置。
【発明の詳細な説明】
【技術分野】
【０００１】
本発明は、対象者の消費エネルギーを推定する消費エネルギー推定装置に関する。
【背景技術】
【０００２】
人体の体重管理および健康管理などにおいて、自身の消費したエネルギーを把握することが重要である。そこで、自身の消費したエネルギーを計測する活動量計が提案されている（特許文献１参照）。
【先行技術文献】
【特許文献】
【０００３】
【特許文献１】特開２００７−０８９６９９号公報
【発明の概要】
【発明が解決しようとする課題】
【０００４】
人体の体重管理および健康管理などにおいては、総消費エネルギーのみならず、消費した糖質および脂質それぞれの消費エネルギーを把握することも重要である。しかし、特許文献１で提案された活動量計では、糖質に由来する消費エネルギーを計測することはできなかった。
【０００５】
従って、上記のような問題点に鑑みてなされた本発明では、ユーザの消費した糖質に由来する消費エネルギーを算出する消費エネルギー推定装置の提供を目的とする。
【課題を解決するための手段】
【０００６】
上述した諸課題を解決すべく、本発明による消費エネルギー推定装置は、
対象者の総消費エネルギーを取得する総消費エネルギー取得手段と、
前記対象者の脂質に由来する消費エネルギーを取得する脂質消費エネルギー取得手段と、
前記総消費エネルギー取得手段が取得した前記総消費エネルギーと前記脂質消費エネルギー取得手段が取得した前記脂質に由来する消費エネルギーとに基づいて、前記対象者の糖質に由来する消費エネルギーを算出する糖質エネルギー演算手段とを備える
ことを特徴とするものである。
【０００７】
また、本発明の消費エネルギー推定装置は、
食料の総エネルギーと糖質に由来する消費エネルギーの関係を記憶する第１の記憶手段と、
前記糖質エネルギー演算手段が算出する前記糖質に由来する消費エネルギー、および前記第１の記憶部に記憶する前記関係に基づいて、前記対象者が摂取した食料の総エネルギーを推定する総エネルギー演算手段とを、さらに備える
ことを特徴とする。
【０００８】
また、本発明の消費エネルギー推定装置は、
初期基準時から測定基準時までの前記総消費エネルギーに基づいて、前記初期基準時近辺において前記対象者の糖質に由来する消費エネルギーを算出する
ことを特徴とする。
【０００９】
また、本発明の消費エネルギー推定装置は、
時刻を計るタイマと、
前記第２の演算部により算出される総消費エネルギーを前記タイマに計時された時刻と関連付けて記憶する第２の記憶手段と、
前記初期基準時および前記測定基準時の入力を検出する入力手段とを、さらに備え、
前記総消費エネルギー取得手段は、前記入力部が検出する前記初期基準時における前記総消費エネルギーを前記第２の記憶手段から読出し、前記測定基準時の前記総消費エネルギーを取得し、前記初期基準時における前記総消費エネルギーから前記測定基準時の前記総消費エネルギーを減じることにより前記基準時期から前記測定基準時までの前記総消費エネルギーを算出する
ことを特徴とする。
【００１０】
また、本発明の消費エネルギー推定装置は、
前記第総消費エネルギー取得手段が取得する前記総消費エネルギーをリセットする入力を検出する入力部を備え、
前記糖質エネルギー演算手段は、前記リセットする入力の検出以後に求められる前記総消費エネルギーを、前記初期基準時から前記測定基準時までの前記総消費エネルギーとして用いる
ことを特徴とする。
【００１１】
また、本発明の消費エネルギー推定装置は、
前記脂質消費エネルギー取得手段は、前記対象者から発するアセトンの量を検出するアセトン検出手段と、前記アセトン測定器が測定したアセトンの量に基づいて前記対象者の脂質に由来する消費エネルギーを算出する脂質消費エネルギー演算手段とを有する
ことを特徴とする。
【００１２】
また、本発明の消費エネルギー推定装置は、
前記脂質エネルギー取得手段は、前記対象者から発するアセトンの量の検出および検出したアセトンの量に基づく前記対象者の脂質に由来する消費エネルギーの算出を実行するアセトン検出装置から前記対象者の脂質に由来する消費エネルギーを取得する
ことを特徴とする。
【００１３】
また、本発明の消費エネルギー推定装置は、
前記脂質エネルギー取得手段は、前記対象者から発するアセトンの量を検出するアセトン検出装置から前記対象者のアセトンの量を取得し、取得したアセトンの量に基づいて前記対象者の脂質に由来する消費エネルギーを算出する
ことを特徴とする。
【００１４】
また、本発明の消費エネルギー推定装置は、
前記総消費エネルギー取得手段は、前記対象者の身体の体動を検出する体動センサと、および前記体動センサが検出した体動に基づいて前記対象者の総消費エネルギーを算出する総消費エネルギー演算手段とを有する
ことを特徴とする。
【００１５】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【発明の効果】
【００１６】
上記のように構成された本発明に係る消費エネルギー推定装置によれば、対象者の消費した糖質に由来する消費エネルギーを算出可能である。
【図面の簡単な説明】
【００１７】
【図１】本発明の第１の実施形態に係る消費エネルギー推定装置の外観斜視図である。
【図２】図１の消費エネルギー推定装置の内部構成を概略的に示す機能ブロック図である。
【図３】直近に摂取した食料の糖質のエネルギーを表示した状態を示す、消費エネルギー推定装置の正面図である。
【図４】第１の実施形態において、設定モードにある制御部が実行する情報入力処理を示すフローチャートである。
【図５】第１の実施形態において、測定モードにある制御部が実行する総消費エネルギー算出処理を示すフローチャートである。
【図６】第１の実施形態において、測定モードにある制御部が実行する消費エネルギー算出処理を示すフローチャートである。
【図７】本発明の第２の実施形態に係る消費エネルギー推定装置の外観斜視図である。
【図８】図７の消費エネルギー推定装置の内部構成を概略的に示す機能ブロック図である。
【図９】第２の実施形態において、測定モードにある制御部が実行する消費エネルギー算出処理を示すフローチャートである。
【発明を実施するための形態】
【００１８】
以下、本発明を適用した報知システムの実施形態について、図面を参照して説明する。図１は、本発明の第１の実施形態に係る消費エネルギー推定装置の外観斜視図である。
【００１９】
消費エネルギー推定装置１０は、例えば活動量計であって、後述するように、対象者の総消費エネルギーを算出する。消費エネルギー推定装置１０の正面には、ディスプレイ１１および複数のボタン１２が設けられる。また、消費エネルギー推定装置１０の側面には、アセトン測定部１３が設けられる。
【００２０】
ディスプレイ１１は多様な画像を表示可能である。
【００２１】
複数のボタン１２は、消費エネルギー推定装置１０の電源のＯＮ／ＯＦＦの切替え入力、動作モードの切替え入力、および設定画面における多様な入力を検出する。
【００２２】
アセトン測定部１３は、対象者の呼気に含まれるアセトンの量を検出する。なお、本実施形態においては、アセトン測定部１３は、呼気に含まれるアセトンの量を検出する構成であるが、皮膚から発散するアセトンの量を検出する構成であってもよい。
【００２３】
次に、消費エネルギー推定装置１０の内部構成を、図２の機能ブロック図を用いて説明する。消費エネルギー推定装置１０は、第１の記憶部１４（第１の記憶手段）、第２の記憶部１５（第２の記憶手段）、入力部１６（入力手段）、体動センサ１７、第１の演算部１８（総消費エネルギー演算手段）、第２の演算部１９（糖質エネルギー演算手段）、第３の演算部２０（総エネルギー演算手段）、第４の演算部２１（脂質消費エネルギー演算手段）、ディスプレイ１１、タイマ２２、および制御部２３を含んで構成される。
【００２４】
第１の記憶部１４は、例えばＥＥＰＲＯＭであって、消費エネルギー推定装置１０の多様な機能を実行するために必要で、予め定められる情報を記憶する。例えば、総エネルギーおよび糖質エネルギーの対応関係が予め記憶される。なお、総エネルギーおよび糖質のエネルギーの対応関係は、一般的な食事において摂取される食料の総エネルギーおよびその中の糖質のエネルギーの、例えば割合などの関係であって、性別、世代別に統計的に予め求められる。
【００２５】
第２の記憶部１５は、例えばＳＤＲＡＭであって、後述するように、入力部１６において検出する対象者の個人情報、第１の演算部１８が算出する総消費エネルギー、および第４の演算部２１が算出した脂質に由来する消費エネルギーを食前の脂質に由来する消費エネルギーとして記憶する。なお、後述するように、これらの値は、必要に応じて書換えられ、消去される。
【００２６】
入力部１６は、複数のボタン１２を含んで構成される。後述するように、消費エネルギー推定装置１０は複数の動作モードを有しており、入力部１６は各動作モードにおける対象者の操作に応じた入力を検出する。
【００２７】
入力部１６は、後述するように、例えば、対象者の年齢、性別、身長、体重、および体脂肪率などの対象者の個人情報の入力を検出する。また、入力部１６は、後述するように、第１の演算部１８が算出する総消費エネルギーをリセットする入力を検出する。また、入力部１６は、動作モードの切替指示を検出する。また、入力部１６は、脂質消費測定の入力を検出する。また、入力部１６は、アセトンの量の検出が食前または食前以外であるかを選択する入力を検出する。また、入力部１６は、食料の総エネルギーの算出を指示する入力を検出する。
【００２８】
体動センサ１７は、例えば３軸加速度センサモジュールであって、互いに垂直な３方向に沿った消費エネルギー推定装置１０の加速度を検出する。なお、消費エネルギー推定装置１０は対象者に装着されるので、消費エネルギー推定装置１０の３方向の加速度は、対象者の３方向の体動として検出される。
【００２９】
第１の演算部１８は、第２の記憶部１５から読出した対象者の個人情報と、体動センサ１７が検出した３方向の加速度に基づいて、対象者の総消費エネルギーを算出する。なお、３方向の加速度および対象者の個人情報に基づく従来公知の算出方法を用いて、総消費エネルギーの瞬時値が算出される。第１の演算部１８は、瞬時値を、例えば１分毎に算出する。また、第１の演算部１８は、算出した瞬時値を積算して総消費エネルギーを算出する。
【００３０】
なお、第１の演算部１８は、入力部１６がリセットの入力を検出すると、総消費エネルギーを０にリセットし、リセット後からの総消費エネルギーを再び算出する。すなわち、第１の演算部１８により算出される総消費エネルギーは、リセット時（初期基準時）から現在（測定基準時）までの間における対象者の総消費エネルギーである。
【００３１】
第２の演算部１９は、第１の演算部１８が算出した総消費エネルギーから、後述する第４の演算部２１が算出する対象者の脂質に由来する消費エネルギーを減じることにより糖質に由来する消費エネルギーを算出する。なお、後述するように、消費エネルギー推定装置１０の特定の使用方法に基づいて、第２の演算部１９により算出される糖質に由来する消費エネルギーは、リセット時近辺に対象者が摂取した食料の糖質のエネルギーに相当する。すなわち、第２の演算部１９は、リセット時近辺に対象者が摂取した食料の糖質のエネルギーを推定する。
【００３２】
第３の演算部２０は、第２の記憶部１５から対象者の個人情報を読出す。さらに、第３の演算部２０は、個人情報に応じた、総エネルギーおよび糖質のエネルギーの対応関係を、第１の記憶部１４から読出す。また、第３の演算部２０は、第２の演算部１９が算出した糖質のエネルギー、ないし第１の記憶部１４から読出す総エネルギーおよび糖質のエネルギーの対応関係に基づいて、摂取した食料の総エネルギーを算出する。
【００３３】
第４の演算部２１は、アセトン測定部１３が検出した呼気アセトンの量に基づいて、対象者の脂質に由来する消費エネルギーを算出する。なお、体内から発せられるアセトンの量は、脂質に由来する消費エネルギーに応じて変動する。すなわち、アセトンの量は、脂質の燃焼が開始されてからアセトンの量が検出するまでの間に燃焼した脂質のエネルギーに応じて変動する。第４の演算部２１は、このような原理に基づいて、脂質に由来する消費エネルギーを算出する。
【００３４】
ディスプレイ１１は例えば液晶モニタであり、前述のように、様々な種類の画像を表示することが可能である。
【００３５】
タイマ２２は、現在時刻を計時する。
【００３６】
制御部２３は、第１の記憶部１４、第２の記憶部１５、入力部１６、体動センサ１７、第１の演算部１８、第２の演算部１９、第３の演算部２０、第４の演算部２１、ディスプレイ１１、およびタイマ２２間の情報および指令の伝達および各部位の動作を制御する。
【００３７】
次に、消費エネルギー推定装置１０の動作モード毎に実行される機能について、詳細に説明する。消費エネルギー推定装置１０は、動作モードとして、設定モードおよび測定モードを有する。
【００３８】
消費エネルギー推定装置１０の設定モードにおいて、対象者は自身の個人情報を入力可能である。動作モードが設定モードである場合に、個人情報入力画像がディスプレイ１１に表示される。個人情報入力画像の表示中における入力によって、入力部１６は対象者の個人情報を検出し、第２の記憶部１５に記憶させる。
【００３９】
消費エネルギー推定装置１０の測定モードにおいて、対象者の総消費エネルギーの算出、摂取した食料の糖質のエネルギーの推定、および摂取した食料の総エネルギーの推定が可能である。動作モードが測定モードである場合に、第１の演算部１８が算出する対象者の総消費エネルギーが時刻毎に第２の記憶部１５に記憶される。なお、時刻はタイマ２２の計時により把握する。記憶された総消費エネルギーは、時刻毎の棒グラフや、数値としてディスプレイに表示可能である。
【００４０】
測定モードの実行中に、入力部１６が総消費エネルギーをリセットする入力を検出すると、第１の演算部１８が算出する総消費エネルギーが０にリセットされる。０へのリセット後、第１の演算部１８は再び総消費エネルギーの算出を開始する。
【００４１】
測定モードの実行中に、入力部１６が脂質消費測定の入力を検出すると、アセトン測定部１３および第４の演算部２１が協同して、対象者の脂質に由来する消費エネルギーが取得される。
【００４２】
脂質に由来する消費エネルギーが取得されると、ディスプレイ１１には、食前の検出であるか、食前以外の検出であるかを選択させる画像が表示される。
【００４３】
食前の検出を選択する入力を検出すると、第４の演算部２１が算出した脂質に由来する消費エネルギーが食前の脂質に由来する消費エネルギーとして第２の記憶部１５に記憶される。次に説明するように、第２の記憶部１５に記憶させる脂質に由来する消費エネルギーは、第２の演算部１９が算出した糖質に由来する消費エネルギーが、リセット時近辺に摂取した食料の糖質のエネルギーに相当するか否かの判別に用いられる。
【００４４】
食前以外の検出を選択する入力を検出すると、第２の演算部１９は、第１の演算部１８が算出した総消費エネルギーから、第４の演算部２１が算出した脂質に由来する消費エネルギーを減じ、糖質に由来する消費エネルギーを算出する。また、食前以外の検出を選択する入力を検出すると、第４の演算部２１が算出した脂質に由来する消費エネルギーと第２の記憶部１５に記憶した脂質に由来する消費エネルギーとを比較する。比較に基づいて、第２の演算部１９が算出した糖質に由来する消費エネルギーがリセット時近辺に摂取した食料の糖質のエネルギーに相当するか否かが判別される。
【００４５】
第２の演算部１９が算出した糖質に由来する消費エネルギーはリセット時近辺に摂取した食料の糖質のエネルギーには相当しないと判別されるとき、ディスプレイ１１には、“現在、まだ食べた分の糖質エネルギーを消費中”のメッセージが表示される。また、ディスプレイ１１には、第１の演算部１８、第４の演算部２１がそれぞれ算出した総消費エネルギーおよび直近の食事後の脂質に由来する消費エネルギーが表示される。さらに、ディスプレイ１１には、第２の演算部１９が算出した糖質に由来する消費エネルギーが、糖質を燃焼中である対象者における糖質に由来する消費エネルギーとして表示される。
【００４６】
第２の演算部１９が算出した糖質に由来する消費エネルギーはリセット時近辺に摂取した食料の糖質のエネルギーには相当すると判別されるとき、、第２の演算部１９が算出した糖質に由来する消費エネルギーが、直近に摂取した食料の糖質のエネルギーとして、例えば図３に示すように、ディスプレイ１１に表示される。
【００４７】
ここで、第２の演算部１９が算出した糖質に由来する消費エネルギーがリセット時近辺に摂取した食料の糖質のエネルギーに相当し得ることについて、簡単に説明する。人体の活動に用いられるエネルギー源は、糖質および脂質であることが知られている。すなわち、人体における総消費エネルギーは、糖質に由来する消費エネルギーおよび脂質に由来する消費エネルギーの合計である。
【００４８】
食品は、一般的に、糖質および脂質分を有している。通常の生活サイクルにおいて、食後には、脂質に由来する消費が急激に低下し、糖質が優先的に消費される。体内に保持される僅かな量の糖質を残し、摂取した糖質がほぼ消費され尽くすと、摂取した脂質および体内に蓄積された脂質に由来する消費が始まる。
【００４９】
以後、次の食料が摂取されるまで、急激な無酸素運動など体内の糖質を使う特別な状況でない限り、脂質が優先的に消費される。したがって、アセトンの量に基づいて第４の演算部２１により算出される脂質に由来する消費エネルギーは、直近の食後から検出時までの間に人体が消費した脂質に由来する消費エネルギーである。
【００５０】
直近の食事の前後において総消費エネルギーをリセットした場合における第１の演算部により算出される総消費エネルギーは、直近の食後から検出時までの間に人体の総消費エネルギーである。それゆえ、直近の食後から検出時までの間に人体が消費した総消費エネルギーから、第４の演算部２１により算出される脂質に由来する消費エネルギーを減じることにより、直近の食後から検出時までの間に人体が消費した糖質に由来する消費エネルギーが算出される。
【００５１】
前述のように、人体が食料を摂取すると、糖質がほぼ消費され尽くすまで、食料に含まれる糖質が優先的に消費される。それゆえ、体内保持用以外の糖質が完全に消費された場合における直近の食後から検出時までの間に人体が消費した糖質に由来する消費エネルギーは、直近に摂取した食料に含まれる糖質のエネルギーに実質的に等しい。
【００５２】
上述のような原理に基づいて、消費エネルギー推定装置１０では、体内保持用以外の糖質が消費され尽くしたことを判別したときに、第２の演算部１９が算出する糖質に由来する消費エネルギーが、直近に摂取した食料に含まれる糖質のエネルギーとして表示される。一方、体内保持用以外の糖質が消費され尽くしていないと判別したときに、第２の演算部１９が算出する糖質に由来する消費エネルギーは、糖質に由来する消費エネルギーとして表示される。
【００５３】
なお、消費エネルギー推定装置１０は、第４の演算部２１が新規に算出した脂質に由来する消費エネルギーが第２の記憶部１５に記憶した食前の脂質に由来する消費エネルギーを超えるときに、体内保持用以外の糖質が消費され尽くしたと判別する。
【００５４】
なお、体内保持用以外の糖質が消費され尽くしたと判別した状態において、摂取した食料の総エネルギーの算出を指示する入力を検出すると、第３の演算部２０は、第２の演算部１９に算出された糖質に由来する消費エネルギーに基づいて、直近に摂取した食料の総エネルギーを算出する。算出された総エネルギーはディスプレイ１１に表示される。
【００５５】
次に、第１の実施形態において、設定モードにある制御部２３が実行する情報入力処理について、図４のフローチャートを用いて説明する。情報入力処理は、対象者による設定モードへの切替入力を入力部１６が検出するときに開始する。
【００５６】
ステップＳ１００では、制御部２３は、個人情報入力画像をディスプレイ１１に表示させる。個人情報入力画像を表示すると、プロセスはステップＳ１０１に進む。
【００５７】
ステップＳ１００では、制御部２３は、入力部１６が対象者による個人情報の入力を検出しているか否かを判別する。個人情報の入力を検出していない場合には、プロセスはステップＳ１００に戻り、検出されるまでステップＳ１００およびステップＳ１０１を繰返す。個人情報の入力を検出すると、ステップＳ１０２に進む。
【００５８】
ステップＳ１０２では、制御部２３は、入力部１６が検出した対象者の個人情報を第２の記憶部１５に記憶させる。第２の記憶部１５への個人情報の記憶後、情報入力処理を終了する。
【００５９】
次に、第１の実施形態において、測定モードにある制御部２３が実行する総消費エネルギー算出処理について、図５のフローチャートを用いて説明する。総消費エネルギー算出処理は、対象者による測定モードへの切替入力を入力部１６が検出するときに開始する。総消費エネルギー算出処理は、測定モードの開始後、消費エネルギー推定装置１０の電源をＯＦＦにするときに終了する。
【００６０】
ステップＳ２００において、制御部２３は、体動センサ１７が検出した加速度を第１の演算部１８に伝達する。また、制御部２３は、第２の記憶部１５に記憶された対象者の個人情報を第１の演算部１８に伝達する。さらに、制御部２３は、第１の演算部１８に対象者の総消費エネルギーを算出させる。制御部２３は、算出した総消費エネルギーを、タイマ２２が計時する時刻と関連付けて、第２の記憶部１５に記憶させる。総消費エネルギーを算出させると、プロセスはステップＳ２０１に進む。
【００６１】
ステップＳ２０１では、制御部２３は、ディスプレイ１１に、ステップＳ２００で算出した総消費エネルギーを表示させる。総消費エネルギーを表示させると、プロセスはステップＳ２０２に進む。
【００６２】
ステップＳ２０２では、制御部２３は、リセットする入力を入力部１６が検出しているか否かを判別する。リセットする入力を検出していないときには、プロセスはステップＳ２００に戻る。リセットする入力を検出するときには、プロセスはステップＳ２０３に進む。
【００６３】
ステップＳ２０３では、制御部２３は、第１の演算部１８において算出する総消費エネルギーを０にリセットする。総消費エネルギーをリセットすると、プロセスはステップＳ２００に戻る。
【００６４】
次に、第１の実施形態において、測定モードにある制御部２３が実行する消費エネルギー算出処理について、図６のフローチャートを用いて説明する。第１の実施形態における消費エネルギー算出処理は、測定モードの実行中に、対象者による脂質消費測定の入力を入力部１６が検出するときに開始する。
【００６５】
ステップＳ３００において、制御部２３は、アセトン測定部１７が呼気を検出しているか否かを判別する。呼気の検出は、例えば圧力の変動などに基づいて検出する。呼気を検出していないときには、ステップＳ２００を繰返し、待機状態となる。呼気を検出するときには、プロセスはステップＳ３０１に進む。
【００６６】
ステップＳ３０１では、制御部２３は、アセトン測定部１７にアセトンの量を検出させる。さらに、制御部２３は、検出したアセトンの量を第４の演算部２１に伝達する。アセトンの量を伝達すると、プロセスはステップＳ３０２に進む。
【００６７】
ステップＳ３０２では、制御部２３は、ステップＳ３０１で伝達されたアセトンの量に基づいて脂質に由来する消費エネルギーを算出する。脂質に由来する消費エネルギーを算出すると、プロセスはステップＳ３０３に進む。
【００６８】
ステップＳ３０３では、制御部２３は、食前または食前以外の何れの測定であることを指定する入力を入力部１６が検出しているかを判別する。食前の検出であるときには、プロセスはステップＳ３０４に進む。食前以外の検出であるときには、プロセスはステップＳ３０５に進む。
【００６９】
ステップＳ３０４では、制御部２３は、ステップＳ３０２において測定された脂質に由来する消費エネルギーを第２の記憶部１５に記憶させる。第２の記憶部１５への記憶後に、消費エネルギー算出処理を終了する。
【００７０】
ステップＳ３０５では、制御部２３は、第１の演算部１８が算出した総消費エネルギー、およびステップＳ３０２において第４の演算部２１に算出させた脂質に由来する消費エネルギーを、第２の演算部１９に伝達する。さらに、制御部２３は、第２の演算部１９に総消費エネルギーから脂質に由来する消費エネルギーを減じさせ、糖質に由来する消費エネルギーを算出させる。糖質に由来する消費エネルギーを算出すると、プロセスはステップＳ３０６に進む。
【００７１】
ステップＳ３０６では、制御部２３は、ステップＳ３０２において測定された脂質に由来する消費エネルギーから、第２の記憶部１５に記憶された脂質に由来する消費エネルギーを減じた差、すなわち食前および食前以外における脂質に由来する消費エネルギーの差を算出する。差の算出後、プロセスはステップＳ３０７に進む。
【００７２】
ステップＳ３０７では、制御部２３は、ステップＳ３０６において算出した食前および食前以外の脂質に由来する消費エネルギーの差が０より大きいか否かを判別する。差が０より大きいときには、プロセスはステップＳ３０８に進む。差が０以下であるときには、プロセスはステップＳ３０９に進む。
【００７３】
ステップＳ３０８では、制御部２３は、ディスプレイ１１に“現在、まだ食べた分の糖質エネルギーを消費中”のメッセージとともに総消費エネルギーおよび現在の脂質に由来する消費エネルギー、とともにステップＳ３０５において算出した糖質に由来する消費エネルギーを現在の糖質に由来する消費エネルギーとして表示させる。表示後に、消費エネルギー算出処理を終了する。
【００７４】
ステップＳ３０９では、制御部２３は、ディスプレイ１１に、ステップＳ３０５において第２の演算部１９が算出した糖質に由来する消費エネルギーを、直近に摂取した食料の糖質のエネルギーとして表示させる。糖質のエネルギーを表示させると、プロセスはステップＳ３１０に進む。
【００７５】
ステップＳ３１０では、制御部２３は、食料の総エネルギーの算出を指示する入力を入力部１６が検出しているか否かを判別する。入力を検出していないときは、消費エネルギー算出処理を終了する。入力を検出するときには、プロセスはステップＳ３１１に進む。
【００７６】
ステップＳ３１１では、制御部２３は、ステップＳ３０８において第２の演算部１９に算出させた糖質のエネルギー、および第１の記憶部１４が記憶している対応関係を第３の演算部２０に伝達する。さらに、制御部２３は、第３の演算部２０に直近に摂取した食料の総エネルギーを算出させる。総エネルギーを算出させると、プロセスはステップＳ３１２に進む。
【００７７】
ステップＳ３１２では、制御部２３は、ディスプレイ１１に、ステップＳ３１１において第３の演算部２０に算出させた食料の総エネルギーを表示させる。食料の総エネルギーを表示させると、消費エネルギー算出処理を終了する。
【００７８】
以上のような構成の第１の実施形態の消費エネルギー推定装置によれば、対象者の消費した糖質に由来する消費エネルギーを算出可能である。
【００７９】
また、第1の実施形態の消費エネルギー推定装置によれば、算出した糖質に由来する消費エネルギーを、摂取した食料の糖質のエネルギーとして表示することが可能である。
【００８０】
また、第１の実施形態の消費エネルギー推定装置によれば、糖質のエネルギーとして表示した糖質に由来する消費エネルギーに基づいて、食事において摂取した食料の総エネルギーを算出可能である。したがって、摂取した食料の総エネルギーの推定値を極めて容易に把握可能となる。
【００８１】
次に、本発明の第２の実施形態を説明する。第２の実施形態では脂質に由来する消費エネルギーの取得方法が第１の実施形態と異なっている。以下に、第１の実施形態と異なる点を中心に第２の実施形態について説明する。なお、第１の実施形態と同じ機能および構成を有する部位には同じ符号を付す。
【００８２】
図７に示すように、第２の実施形態の消費エネルギー推定装置１００には、第１の実施形態と同様に、ディスプレイ１１およぶ複数のボタン１２が設けられる。一方、第１の実施形態と異なり、消費エネルギー推定装置１００の側面には、取得部２４０が設けられる。ディスプレイ１１および複数のボタン１２の構成および機能は、第１の実施形態と同様である。
【００８３】
取得部２４０は、例えば無線または有線のデータ受信器であって、外部機器から多様なデータを受信する。例えば、取得部２４０は、対象者の呼気に含まれるアセトンの量を検出し、検出したアセトンの量に基づいて対象者の脂質に由来する消費エネルギーを算出する脂質消費検出装置（アセトン検出装置）から、対象者の脂質に由来する消費エネルギーをアセトンの量の検出時刻とともに取得する。
【００８４】
次に、消費エネルギー推定装置１００の内部構成を、図８の機能ブロック図を用いて説明する。消費エネルギー推定装置１００は、第１の記憶部１４、第２の記憶部１５、入力部１６、体動センサ１７、第１の演算部１８０、第２の演算部１９、第３の演算部２０、ディスプレイ１１、タイマ２２、制御部２３０、および取得部２４０を含んで構成される。第１の記憶部１４、第２の記憶部１５、入力部１６、体動センサ１７、第２の演算部１９、第３の演算部２０、ディスプレイ１１、およびタイマ２２の構成および機能は、第１の実施形態と同様である。
【００８５】
第１の演算部１８０は、第１の実施形態と同様に、第２の記憶部１５から読出した対象者の個人情報と、体動センサ１７が検出した３方向の加速度に基づいて、対象者の総消費エネルギーを算出する。
【００８６】
第１の演算部１８０は、第１の実施形態と異なり、後述するように、特定の期間における対象者の総消費エネルギーを算出する。
【００８７】
取得部２４０は、前述のように、脂質消費検出装置から、対象者の脂質に由来する消費エネルギーをアセトンの量の検出時刻とともに取得する。
【００８８】
制御部２４０は、第１の記憶部１４、第２の記憶部１５、入力部１６、体動センサ１７、第１の演算部１８０、第２の演算部１９、第３の演算部２０、ディスプレイ１１、タイマ２２、制御部２３０、および取得部２４０間の情報および指令の伝達および各部位の動作を制御する。
【００８９】
次に、消費エネルギー推定装置１００の動作モード毎に実行される機能について、詳細に説明する。第１の実施形態と同様に、消費エネルギー推定装置１００は、動作モードとして、設定モードおよび測定モードを有する。
【００９０】
消費エネルギー推定装置１００の設定モードにおける、対象者の個人情報の入力は、第１の実施形態と同様である。
【００９１】
消費エネルギー推定装置１００の測定モードにおける、対象者の総消費エネルギーの算出は、第１の実施形態と同様である。
【００９２】
消費エネルギー推定装置１００は、測定モードにおいて、脂質消費検出装置から、対象者の脂質に由来する消費エネルギーを取得可能である。測定モードの実行中に脂質に由来する消費エネルギーを取得する指示入力を検出すると、消費エネルギー推定装置１００は脂質消費検出装置から脂質に由来する消費エネルギーをアセトンの量の検出時刻とともに取得する。
【００９３】
第１の実施形態と同様に、脂質に由来する消費エネルギーを取得すると、ディスプレイ１１には、食前の検出であるか、食前以外の検出であるかを選択させる画像が表示される。第１の実施形態と同様に、食前の検出を選択する入力を検出すると、取得した脂質に由来する消費エネルギーが食前の脂質に由来する消費エネルギーとして第２の記憶部１５に記憶される。
【００９４】
第１の実施形態と異なり、食前以外の検出を選択する入力を検出すると、ディスプレイ１１には、直近の食事時間の入力を要請するメッセージが表示される。直近の食事時間の入力を入力部１６が検出すると、第１の演算部１８０は、入力された時間に最も近い時刻（以下、“初期基準時”という）に算出された総消費エネルギーを第２の記憶部１５から読出す。また、第１の演算部１８０は、脂質消費検出装置から取得するアセトンの量の検出時刻に最も近い時刻（以下、“測定基準時”という）に算出された総消費エネルギーを第２の記憶部１５から読出す。第１の演算部１８０は、両者の差を算出することにより、初期基準時から測定基準時までの間の対象者の総消費エネルギーを算出する。初期基準時から測定基準時までの総消費エネルギーが算出されると、第１の実施形態と同様に、第２の演算部１９が、第１の演算部１８０が算出した総消費エネルギーから、取得部２４０が取得する脂質に由来する消費エネルギーを減じ、糖質に由来する消費エネルギーを算出する。
【００９５】
また、第１の実施形態と同様に、食前以外の検出を選択する入力を検出すると、第２の演算部１９が算出した糖質に由来する消費エネルギーが入力部１６に入力された直近の食事時間近辺に摂取した食料の糖質のエネルギーに相当するか否かが判別される。以後、第１の実施形態と同様に、第２の算出部１９が算出した糖質に由来する消費エネルギーは、糖質を燃焼中である対象者における糖質に由来する消費エネルギー、または、直近に摂取した食料の糖質のエネルギーとして、ディスプレイ１１に表示される。
【００９６】
また、第１の実施形態と同様に、消費エネルギー推定装置１００は、直近に摂取した食料の総エネルギーを算出して、ディスプレイ１１に表示する。
【００９７】
次に、制御部２３０が実行する各処理について説明する。なお、設定モードにおいて制御部２３０が実行する情報入力処理は第１の実施形態と同じであり、説明を省略する。また、測定モードにおいて制御部２３０が実行する総消費エネルギー算出処理も第１の実施形態と同じであり、説明を省略する。
【００９８】
第２の実施形態において、測定モードにおいて制御部２３０が実行する消費エネルギー算出処理について、図９のフローチャートを用いて説明する。第２の実施形態における消費エネルギー算出処理も、測定モードの実行中に、対象者による脂質消費測定の入力を入力部１６が検出するときに開始する。
【００９９】
ステップＳ４００において、制御部２３０は、脂質消費検出装置から、対象者の脂質に由来する消費エネルギーとアセトンの量の検出時刻を取得する。取得後、プロセスはステップＳ４０１に進む。
【０１００】
ステップＳ４０１およびＳ４０２においては、制御部２３０は、第１の実施形態の消費エネルギー算出処理におけるステップＳ３０３およびＳ３０４と同じ制御を実行する。
【０１０１】
ステップＳ４０３では、制御部２３０は、ディスプレイ１１に、直近の食事時間の入力を要求する画像を表示させる。入力を要求すると、プロセスはステップＳ４０３に進む。
【０１０２】
ステップＳ４０４では、制御部２３０は、入力部１６が食事時間の入力を検出しているか否かを判別する。入力を検出していないときにはステップＳ４０４に戻り、待機状態となる。入力を検出するときにはプロセスはステップＳ４０５に進む。
【０１０３】
ステップＳ４０５では、制御部２３０は、第２の記憶部１５からステップＳ４０７で入力された時間に最も近い時刻、すなわち初期基準時の総消費エネルギーを第２の記憶部１５から読出し、第１の演算部１８０に伝達する。また、制御部２３０は、ステップＳ４００において取得したアセトンの量の検出時刻に最も近い時刻、すなわち測定基準時の総消費エネルギーを第２の記憶部１５から読出し、第１の演算部１８０に伝達する。第２の記憶部１５から総消費エネルギーを読出すと、プロセスはステップＳ４０６に進む。
【０１０４】
ステップＳ４０６では、制御部２３０は、第１の演算部１８０に、初期基準時から測定基準時までの総消費エネルギーを算出させる。総消費エネルギーを算出すると、プロセスはステップＳ４０７に進む。
【０１０５】
ステップＳ４０７からＳ４１４においては、制御部２３０は、第１の実施形態の消費エネルギー算出処理におけるステップＳ３０５からＳ３１２と同じ制御を実行する。
【０１０６】
以上のような構成の第２の実施形態の消費エネルギー推定装置によっても、対象者の消費した糖質に由来する消費エネルギーを算出することが可能である。また、第２の実施形態の消費エネルギー推定装置によっても、算出した糖質に由来する消費エネルギーを摂取した食料の糖質のエネルギーとして表示することが可能である。また、第２の実施形態の消費エネルギー推定装置によっても、糖質のエネルギーとして表示した糖質に由来する消費エネルギーに基づいて、食事において摂取した食料の総エネルギーを算出可能である。
【０１０７】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【０１０８】
例えば、第１の実施形態および第２の実施形態において、体動センサ１７の検出する３方向の加速度に基づいて第１の演算部１８、１８０が総消費エネルギーを算出する構成であるが、体動センサおよび第１の演算部を有する測定装置から、総消費エネルギーを取得する構成であってもよい。または、体動センサを有する測定装置から、３方向の加速度の履歴を取得し、取得した３方向の加速度に基づいて総消費エネルギーを算出する構成であってもよい。
【０１０９】
また、第１の実施形態および第２の実施形態において、糖質が消費し尽くされた後においても脂質に由来する消費エネルギーが算出されるたびに、糖質に由来する消費エネルギーの算出が実行される構成であるが、算出は１回で完了させる構成であってもよい。糖質が消費し尽されたときの糖質に由来する消費エネルギーは、脂質に由来する消費エネルギーの算出時期に関わらず一定であると考えられる。それゆえ、糖質が消費し尽されたと判定されたときには、当該糖質に由来する消費エネルギーを第２の記憶部１５などのメモリに記憶し、以後の脂質に由来する消費エネルギーの算出時には、記憶された糖質に由来する消費エネルギーを読出して表示する構成であってもよい。
【０１１０】
また、第１の実施形態において、消費エネルギー推定装置１０は第１の演算部１８から第４の演算部２１を別々に有する構成であるが、第１の演算部１８から第４の演算部２１が実行する演算を、単一の演算部に実行させる構成であってもよい。同様に、第２の実施形態において、消費エネルギー推定装置１００は第１の演算部１８０から第３の演算部２０を別々に有する構成であるが、第１の演算部１８から第３の演算部２０が実行する演算を、単一の演算部に実行させる構成であってもよい。
【０１１１】
また、第２の実施形態において、取得部２４０は、脂質消費検出装置から、対象者の脂質に由来する消費エネルギーを取得する構成であるが、アセトンの量を取得する構成であってもよい。第１の実施形態と同様にして、取得したアセトンの量に基づいて消費エネルギー推定装置１００において脂質に由来する消費エネルギーを算出可能である。
【符号の説明】
【０１１２】
１０、１００  消費エネルギー推定装置
１１  ディスプレイ
１２  ボタン
１３  アセトン測定部
１４  第１の記憶部
１５  第２の記憶部
１６  入力部
１７  体動センサ
１８、１８０  第１の演算部
１９  第２の演算部
２０  第３の演算部
２１  第４の演算部
２２  タイマ
２３  制御部
２４０  取得部
【図１】
2014033868.tif 000003
【図２】
2014033868.tif 000004
【図３】
2014033868.tif 000005
【図４】
2014033868.tif 000006
【図５】
2014033868.tif 000007
【図６】
2014033868.tif 000008
【図７】
2014033868.tif 000009
【図８】
2014033868.tif 000010
【図９】
2014033868.tif 000011